(57)【特許請求の範囲】
【請求項１】
プールのコース方向と直交する両端壁の水面に沿った溝状路の内部に、コース方向と直交する方向に亘って水平にガイド部材を設け、上記プールのコース方向と平行する側壁の水面近傍に、コースロープ長さ相当の出入口を有するコースロープ収納室を設けたプールのコースロープ設備であって、上記コースロープ収納室内に、上記ガイド部材から湾曲して垂直下方に向けて連続する案内部材、又は、上記ガイド部材から斜め下方に湾曲して連続する案内部材を設け、かつ上記コースロープ収納室の底部近傍の側壁を貫通して接続した給排水装置を設け、コースロープを出し入れするときは、上記給排水装置による上記コースロープ収納室内への給排水により、該コースロープを水に浮かせて上昇又は下降させ、上記案内部材及びガイド部材にコースロープの端部が直接、または、移動部材を介してコース方向と直交する方向には移動可能、かつ、コース方向には移動不能となるように係合し、該案内部材及びガイド部材に伝わせて該コースロープを移動させることを特徴とするプールのコースロープ設備。
【発明の詳細な説明】
【０００１】
【発明の属する技術分野】
この発明は、水泳用プールをコース練習に使用するために仕切るプールのコースロープ設備に関するものである。
【０００２】
【従来の技術】
従来一般のコースロープ設備について、図６に基づいて説明する。競泳や水泳のコース練習等で、プール４０をコース別に仕切るコースロープ４１は、図６に示すように、プール水５０に浮かべたコースロープ４１の両端部のフック４５を、プール４０の端壁４２に設けたコースロープ取付金具４４に引っかけて取付ける構造となっている。このコースロープ取付金具４４は、プール４０の端壁４２の水面近傍を開口して設けたコースロープ取付口４３の内部に、水平方向に固定している。
【０００３】
上記コースロープ４１は、ステンレスやスチール等からなるワイヤ４８に、ポリエチレン樹脂材や強化プラスチック材等からなる消波ブイやフロートと呼ばれる浮体４６を挿通している。そして、ワイヤ４８の端部には、環状取付具などのワイヤクリップ４９、コースロープ４１の長さと張り具合いを調整するための治具、タンバックル４７などが設けられ、このタンバックル４７の端部に鈎状のフック４５が設けられている。
【０００４】
そして、コースロープ４１を使用しない時には、上記タンバックル４７を緩めてフック４５をコースロープ取付金具４４から取外し、図示は省略するが、ドラム状のコースロープ巻取器などに巻き取って収納場所に保管していた。
【０００５】
また、コースロープ巻取器を用いることなく、コースロープを伸ばしたままの状態で、側デッキ上の収納箱や収納ベンチ等の中に保管するように形成した設備もあった。さらにまた、コースロープの収納作業を容易にした本出願人に係る特開平８−１２６７２８号の公報の発明がある。この発明は、コースロープの長さ相当の蓋付き出入口を有する溝状のコースロープ収納設備を、プールのコース方向に沿った側デッキに設け、さらにこのコースロープ収納設備に給水装置と排水装置を設けて、コースロープを浮かべながら収納及び取出しを楽に行えるようにしたものである。
【０００６】
【発明が解決しようとする課題】
図６に示す従来のコースロープ設備においては、コースロープ取付口４３内のコースロープ取付金具４４に、コースロープ４１の両端部のフック４５を引っかけて取付ける際に、コースロープ４１を強い力で引っ張り寄せ、さらにタンバックル４７を締付けて調整する作業が大変で、設置に手間がかかった。また、上記コースロープ４１を取外す際にも、タンバックル４７を大きく緩めて、フック４５をコースロープ取付金具４４から外す作業に強い力を要し、かつ手間がかかった。
【０００７】
また、長いコースロープ４１を手繰り寄せたり引き伸ばしたりする設置作業や収納作業の際に、コースロープ４１の両端部のフック４５などの金具は水に沈んで持ち難く、またフロート４６は嵩張っているため、移動や巻取りがやり難く繁雑な作業となった。さらにまた、コースロープ４１両端部のフック４５などの金具は、絡んだり飛び出したりしてまとまりが良くないため、伸ばしたり移動したりする際に、周囲の床面や壁などを損傷する心配があった。このように、コースロープ巻取器に巻き取って保管する場合は、コースロープの巻き取り作業が大変で運ぶ手間もかかった。
【０００８】
また、コースロープを伸ばしたままの状態でプールの側デッキ上の収納箱や箱状の収納ベンチ等に収納して保管する設備においても、プール内での移動作業、及びコースロープ取付部への取付け取外し作業に労力と手間がかかった。
【０００９】
さらにまた、コースロープの収納作業を容易にするために考えられた本出願人に係る特開平８−１２６７２８号の公報の発明は、コースロープの使用時及び収納時に、コースロープを水に浮かべながら容易に取出し、或いは収納を行うことはできるが、プール内でのコースロープの取付け、取外し等の作業容易性に問題を残していた。
【００１０】
この発明は、上述の課題に鑑みてなされたもので、コースロープの移動作業、設置作業、及び収納作業を、簡単容易に手間をかけずに行うことができるプールのコースロープ設備を提供するものである。
【００１１】
【課題を解決するための手段】
この発明に係るプールのコースロープ設備は、プールのコース方向と直交する両端壁の水面に沿った溝状路の内部に、コース方向と直交する方向に亘って水平にガイド部材を設け、上記プールのコース方向と平行する側壁の水面近傍に、コースロープ長さ相当の出入口を有するコースロープ収納室を設けたプールのコースロープ設備であって、上記コースロープ収納室内に、上記ガイド部材から湾曲して垂直下方に向けて連続する案内部材、又は、上記ガイド部材から斜め下方に湾曲して連続する案内部材を設け、かつ上記コースロープ収納室の底部近傍の側壁を貫通して接続した給排水装置を設け、コースロープを出し入れするときは、上記給排水装置による上記コースロープ収納室内への給排水により、該コースロープを水に浮かせて上昇又は下降させ、上記案内部材及びガイド部材にコースロープの端部が直接、または、移動部材を介してコース方向と直交する方向には移動可能、かつ、コース方向には移動不能となるように係合し、該案内部材及びガイド部材に伝わせて該コースロープを移動させたものである。
【００１４】
【発明の実施の形態】
この発明に係るプールのコースロープ設備の実施形態例について、図１乃至図５に基づいて説明する。
【００１５】
図１に示すように、水泳用プール１の両側の端壁４に、コースを仕切るコースロープ２の両端部が、水面に沿ってコースと直交する方向に移動自在となるガイド部材８を設ける。そして、このガイド部材８に沿った所定箇所の係止部９にて、上記移動してきたコースロープ２の両端部を固定し、コースロープ２をプール水５の水面上に浮かべて張り渡す。なお、図１は、飛込台１４を設置したスタート側の端壁４近傍の構造を示しているが、このスタート側と対向するターン側の端壁４近傍についても同様の構造とする。
【００１６】
各コースロープ２は、上記ガイド部材８にコースロープ２の両端部を係合し緩く張った状態で、略平行を維持しながら水面上をコースと直交する方向に移動する。そして、この各コースロープ２の取付け、取外しは、プール１の側壁３の近傍位置にて行う。
【００１７】
図２に基づいて、コースロープ２の取付部近傍の構造事例について説明する。プール１のコース方向と直交する端壁４の水面に沿い、かつ全コース範囲にわたって、プール内側に向く横長のコースロープ取付用の開口６を設け、この開口６の内部に細長い溝状路７を設ける。そして、この溝状路７の内部に、コースロープ２の端部を係合し、水面に沿ってコースと直交する方向に移動を案内するガイド部材８を設け、このガイド部材８の所定箇所に、上記コースロープ２の端部を固定する係止部９を設けて形成する。
【００１８】
このように、溝状路７の内部にガイド部材８を設けると、コースロープ２の端部などの取付部が溝状路７内部に位置し、端壁４の表面からプール内側に突出することがないので、水泳時の邪魔や障害になることがなく、また美観にも優れたプールの構造となる。なお溝状路７は、横長の開口６から内部を拡大して有底溝状に形成しているので、各コースからプール水５が溢流水１７となって流れ出るため、清浄なプール水５を維持することに貢献している。
【００１９】
ガイド部材８は、金属製や合成樹脂製などのパイプ材や棒材などを用いて、コースロープ２端部のフック１５を引っかけて係合し、水面に沿ってコースと直交する方向に移動可能となるように形成し、端壁４からプール内側に突出することなく上記溝状路７内部に位置するように、複数の隔離した支持材１８によって溝状路７の内壁面に固定する。そしてフック１５を固定する係止部９は、上記パイプ材等よりなるガイド部材８の一部を、プール水面方向に突出するように湾曲させ、この係止部９にコースロープ２端部のフック１５を引っかけ止めて、コースロープ２が移動しないように形成する。このように形成したガイド部材８に、コースロープ２のフック１５を伝わせて移動し、係止部９の位置にてタンバックル２０を締めて緊張させ、コースロープ２が移動しないように固定する。
【００２０】
図３（ａ），（ｂ）は、コースロープ２の端部の移動がさらに容易となるように、ガイド部材８を伝って走行移動する移動部材２２を、コースロープ２端部とガイド部材８間に設けたコースロープ設備の他の実施形態例である。
【００２１】
図３（ａ）は、ガイド部材８を走行レール状に形成し、このガイド部材８に伝って走行移動する滑車２１を有する移動部材２２を設けたものである。そして、この移動部材２２の端部に係合部２８を設け、この係合部２８にコースロープ２端部のフック１５を係合する。この走行レール状のガイド部材８は、パイプ、成形材などを用いて、移動部材２２の滑車２１が外れることなく円滑に回転しながら走行移動するように形成する。なお図示省略するが、ガイド部材の所定箇所に、滑車の停止部、例えば凹部又は凸部よりなる障害物、或いはフックの係止部、例えばフックを引っかける環状部などを設け、コースロープを固定するように形成する。
【００２２】
図３（ｂ）に示すガイド部材８は、線状に一部切り欠きその内部が空洞に拡大する案内溝２５を設けたものである。そして、このガイド部材８を伝って走行するように設ける移動部材２２は、案内溝２５の内部を滑らかに移動する滑動体２６と、案内溝２５から外部に延出する滑動体２６端部の略半円環形状の係合部２９とで形成する。この移動部材２２の係合部２９に、コースロープ２端部のフック１５を係合する。ガイド部材８の案内溝２５は、円形パイプ、矩形パイプなどを用いて線状に一部を切り欠いた走行レール状に形成し、この案内溝２５の内部を移動する滑動体２６は、筒体、円盤、矩形板、或いは回転体を備えた部材などで形成する。なお、案内溝２５の所定箇所に、係合部２９が嵌合する矩形凹部などよりなる係止部３０を設け、この係止部３０の位置で移動部材２２を停止させコースロープ２を固定する。
【００２３】
図１乃至図３に示すように、水面に沿ってコースと直交する方向にコースロープ２の両端部の移動を案内するガイド部材８を設けたので、コースロープ２を使用したり片付けたりする際には、コースロープ２のタンバックル２０を緩め、コースロープ２のフロート１９によってプール水５にコースロープ２を浮かべた状態で、図２に示すようにフック１５をガイド部材８に直接引っかけ、或いは、図３に示すようにフック１５係合の移動部材２２をガイド部材８にかけて、ガイド部材８に伝わせながらコースロープ２を容易に移動することができる。なお、水面上より高い位置にガイド部材８を設けたものにおいては、コースロープ２の荷重を両端部に預け、水の抵抗をより少なくして小さい力で容易に移動することが可能となる。
【００２４】
なお、上記ガイド部材８を伝ってコースロープ２を移動させる作業は、図示は省略するが、鈎付きのロープや棒などの懸引用部材を用いて、この懸引用部材をコースロープ両端部に引っかけ手繰り寄せれば、プール内に入らず水に濡れることもなく、両端壁近傍のプール外部のデッキ上にて作業を行うことができる。
【００２５】
図４は、プール１のコース方向と平行する側壁３の水面近傍に沿って、コースロープ２の長さ相当の出入口１１を有するコースロープ収納室１３を設けた実施形態例を示す。プール端壁４から側デッキ１２に至る間に設けたガイド部材８の端部近傍、プール側壁３の溢流溝１０の外側位置に、蓋２７付のコースロープ収納室１３を設ける。
【００２６】
コースロープ２は、ガイド部材８にフック１５を係合した状態でプール水５に浮かべながら略平行に移動し、さらに、溢流溝１０の上部を覆う蓋１６の上を越えて移動し、ガイド部材８の端部近傍にてフック１５を着脱し、コースロープ収納室１３の蓋２７を開けて出し入れする。また、コースロープ収納室１３には、コースロープ収納室１３の側壁を貫通して接続した給排水装置２４を設け、その給排水によってコースロープ２を浮かせて取出し収納に利用する。
【００２７】
図５（ａ），（ｂ）は、コースロープ収納室１３の他の実施形態例を示すものである。図５（ａ）に示すコースロープ収納室１３Ａは幅狭の深い箱状溝に形成し、コースロープ２を垂直方向に積み重ねて収納する。図５（ｂ）に示すコースロープ収納室１３Ｂは幅広の浅い箱状溝に形成し、コースロープ２を水平方向に並列して収納する。
【００２８】
図５（ａ）に示すコースロープ収納室１３Ａは、このコースロープ収納室１３Ａ内に、ガイド部材８から湾曲して垂直下方に向けて連続する案内部材２３Ａを設け、かつコースロープ収納室１３Ａの底部近傍の側壁を貫通して接続した給排水装置２４を設けている。そして、コースロープ２をコースロープ出入口１１から出し入れする際には、給排水装置２４を使用してコースロープ収納室１３Ａ内へ給排水し、コースロープ２を水に浮かせて上昇又は下降させ、案内部材２３Ａ及びガイド部材８に伝わせて移動する。
【００２９】
図５（ｂ）に示すコースロープ収納室１３Ｂは、このコースロープ収納室１３Ｂ内に、ガイド部材８から斜め下方に湾曲し連続する案内部材２３Ｂを設け、かつコースロープ収納室１３Ｂの底部近傍の側壁を貫通し、プール水５方向の斜め上方に向けた給排水装置２４を設けている。そして、コースロープ２をコースロープ出入口１１から出し入れする際には、給排水装置２４によるコースロープ収納室１３Ｂ内の給排水による噴出水又は吸引水の水流を利用し、コースロープ２を案内部材２３Ｂ及びガイド部材８に伝わせて移動する。
【００３０】
図５（ａ）に示すコースロープ収納室１３Ａは、幅狭で深いため広い設置場所をとらず、浮力を利用した取出し作業性に優れ、また、図５（ｂ）に示すコースロープ収納室１３Ｂは、幅広で浅いため上部からのメインテナンスが容易で、水流を使用した操作性に優れている。そして、上述のように、コースロープ収納室１３Ａ，１３Ｂには、ガイド部材８から連続する案内部材２３Ａ，２３Ｂを設けるとともに、給排水装置２４を設けているので、コースロープ２は、ガイド部材８と案内部材２３Ａ，２３Ｂの間を円滑に伝わって、給排水装置２４による給排水で容易に移動するため、引っかかったり、相互にからんだりすることがなく、順繰りに整然と出し入れをすることができる。
【００３１】
【発明の効果】
この発明に係るプールのコースロープ設備は、プールのコース方向と直交する両端壁に、コースロープの両端部の移動を案内するようにコース方向と直交する方向に亘って水平にガイド部材を設けたので、コースロープを使用したり、片付け収納したりする際には、コースロープを取外すことなく伸ばして緩く張った状態で、ガイド部材に伝わせて水面に沿ったコース方向に移動することができる。よって、コースロープの取付け取外しの大きな労力を必要とすることなく、また、巻取りや引伸しの繁雑な作業もなく、簡単容易にその作業を行うことができる。また、コースロープ収納室には、ガイド部材から湾曲して連続する案内部材を設けるとともに、給排水装置を設けているので、コースロープは上記案内部材及びガイド部材にコースロープの端部が直接、または、移動部材を介してコース方向と直交する方向には移動可能、かつ、コース方向には移動不能となるように係合しているため、コースロープはガイド部材と案内部材の間を円滑に伝わって、給排水装置による給排水で容易に移動するため、引っかかったり、相互にからんだりすることがなく、順繰りに整然と出し入れをすることができる。

【００３２】
また、上記両端壁の水面に沿って設けた溝状路の内部に、上記ガイド部材を設けたプールのコースロープ設備は、ガイド部材がプール内側に突出することがないので、水泳の邪魔にならず、美観に優れたプールとなる。また、溝状路はプール水の溢流溝としても使用することができるので、プール水の清浄化に貢献することができる。
【００３３】
また、上記プールのコース方向と平行する側壁の水面近傍に、コースロープ長さ相当の出入口を有するコースロープ収納室を設けたコースロープ設備は、コースロープを伸ばし浮かせた状態で側壁近傍位置まで移動し、そのまま平行に整然と移動して、容易かつ短時間に収納することができる。また、収納室からコースロープを引き出してプールへ移動する作業も、整然と簡単容易に行うことができる。
【図面の簡単な説明】
【図１】  この発明に係るコースロープ設備を設けたプールを示す一部を欠除した斜視説明図である。
【図２】  この発明に係るコースロープ設備のコースロープ取付部の近傍を一部断面として示す斜視説明図である。
【図３】  （ａ），（ｂ）は、この発明に係るコースロープ設備のガイド部材に移動部材を設けた他の実施形態例を示す斜視説明図である。
【図４】  この発明に係るコースロープ設備のコースロープ収納室近傍を示す側断面説明図である。
【図５】  （ａ），（ｂ）は、この発明に係るコースロープ設備のコースロープ収納室近傍の他の実施形態例を示す側断面説明図である。
【図６】  従来のコースロープ設備のコースロープ取付部の近傍を示す一部を欠除した斜視説明図である。
【符号の説明】
１  プール                            ２  コースロープ
３  側壁                              ４  端壁
５  プール水                          ６  開口
７  溝状路                            ８  ガイド部材
９  係止部                          １０  溢流溝
１１  出入口                          １２  側デッキ
１３，１３Ａ，１３Ｂ  コースロープ収納室
１４  飛込台                          １５  フック
１６  蓋                              １７  溢流水
１８  支持材                          １９  フロート
２０  タンバックル                    ２１  滑車
２２  移動部材                        ２３Ａ，２３Ｂ  案内部材
２４  給排水装置                      ２５  案内溝
２６  滑動体                          ２７  蓋
２８  係合部                          ２９  係合部
３０  係止部
４０  プール                          ４１  コースロープ
４２  プールの側壁                    ４３  コースロープ取付口
４４  コースロープ取付金具            ４５  フック
４６  フロート                        ４７  タンバックル
４８  ワイヤ                          ４９  ワイヤクリップ
５０  プール水
【図１】
0004449047.tif 000002
【図２】
0004449047.tif 000003
【図３】
0004449047.tif 000004
【図４】
0004449047.tif 000005
【図５】
0004449047.tif 000006
【図６】
0004449047.tif 000007